(57)【要約】【課題】前部枠体と洗剤ケースの位置ずれを解消し、洗剤ケースの操作性の優れた洗濯機を提供すること。【解決手段】洗濯機本体１の前面を形成する前部枠体２と、前部枠体２の上部に配置された洗剤ケース５と、洗剤ケース５を引き出し自在に収納する洗剤ケース収容容器６とを備え、前部枠体２の裏面に複数個のガイドリブ９、リブ１０を形成し、ガイドリブ９、リブ１０を洗剤ケース収容容器６に設けられた複数個の嵌合穴１１、１２に挿入して位置決めをしたことにより、前部枠体２と洗剤ケース５との位置ずれが原因で起こる不良の恐れをなくすことができ、さらには部品追加によるコストアップの回避が可能となる。【選択図】図２
2010035747.tif 000002
【特許請求の範囲】
【請求項１】
衣類を収納する回転ドラムと、洗濯機本体の前面を形成すると共に前記回転ドラムへの衣類出し入れ用の開口扉を有する前部枠体と、前記前部枠体の上部に配置された洗剤ケースと、前記洗剤ケースを引き出し自在に収納する洗剤ケース収容容器とを備え、前記前部枠体は裏面に複数個のリブを形成し、前記リブを前記洗剤ケース収容容器に設けた複数個の嵌合穴に挿入して位置決めをして、前記洗剤ケース収容容器を前記前部枠体の裏面に取り付けた洗濯機。
【請求項２】
前部枠体の複数個のリブはそれぞれ高さが異なる形状とし、最も高いガイドリブの先端部は傾斜面を有して、洗剤ケース収容容器に設けた嵌合穴に摺動しやすい構成とした請求項１に記載の洗濯機。
【発明の詳細な説明】
【技術分野】
【０００１】
本発明は、洗剤ケースを配置した洗濯機に関するものである。
【背景技術】
【０００２】
従来の、この種のドラム式洗濯機は、洗濯機本体の前面を形成する前部枠体の上部正面側に洗剤ケースを引き出し可能に収容している（例えば、特許文献１参照）。
【０００３】
図５は、特許文献１に記載された従来の洗濯機の縦断面図、図６は、同洗濯機の洗剤ケースおよび洗剤ケース収容容器部分の部分断面図である。
【０００４】
図５の断面図に示すように、洗濯機本体６７の前面を形成する前部枠体６１には、回転ドラム６４への衣類出し入れ用の開口扉７０が配置され、その上方には、洗剤ケース６２を引き出し自在に収納する洗剤ケース収容容器６５が配置されている。
【０００５】
駆動モータ６３で回転され略水平方向または傾斜方向に回転軸を有する回転ドラム６４は、外周壁に多数の水抜き穴６８を形成し、水槽６６内部に回転自在に軸支される。
【０００６】
洗濯機本体６７の内部上方に配置した給水弁６９より、洗剤ケース収容容器６５を経由して洗剤ケース６２内部に投入された洗剤を溶解しつつ、ホース７１より水槽６６内部および回転ドラム６４に洗濯水を給水する。
【０００７】
図６の部分断面図において、洗剤ケース６２は、洗剤ケース収容容器６５より若干引き出した状態を示している。
【０００８】
洗剤ケース６２は、図６で左側に、前部枠体６１の凹部８１に収納する引き出し操作の取手部７２を形成し、中央部に液体洗剤収納部７３、右側に粉末洗剤収納部７４を形成する。
【０００９】
洗剤ケース収容容器６５は、洗剤ケース６２の収納部７８と、その上部に給水弁６９から配管される給水ホース７５に接続する給水通路７６と、通水経路７６の下面に給水を満遍なく広げて、洗剤ケース６２の液体洗剤収納部７３や粉末洗剤収納部７４に散水する為の多数の小孔７７を構成する。
【００１０】
また、収納部７８の下方には、洗剤ケース６２の引き出しあるいは挿入の摺動動作を円滑にする為の突条７９を形成し、かつその下方に流出部８０を設けて既述のホース７１に配管する。
【００１１】
前部枠体６１と洗剤ケース収容容器６５との取り付け構成は、洗剤ケース収容容器６５の洗剤ケース６２の収納部７８下方外面に一体形成した取り付けボス８２と、前部枠体６１の凹部８１の縦壁部８３とをビス８４にて締めつけ固定をする構成をとっていた。
【特許文献１】特開２００７−６８８０１号公報
【発明の開示】
【発明が解決しようとする課題】
【００１２】
しかしながら、前記従来の構成では、前部枠体６１と洗剤ケース収容容器６５との位置が決まりにくく、取り付け後もビス８４を中心に回転方向に位置ずれを起こすなどの問題があり、それにより、洗剤ケース６２がゆがんで取りつき、洗剤ケース６２の収納不完全や引き出し操作力大、外観隙間の悪化などの不具合が起こる可能性があった。
【００１３】
それを防止するため、洗剤ケース収容容器６５を前部枠体６１との間に、剛性を有する金属板金部品に仮固定して位置ずれを防止したり、あるいはビス締めの員数増加などの対応をすることが検討されてきた。
【００１４】
しかし、洗剤ケース収容容器６５を前部枠体６１との間にある板金部品に仮固定して位置ずれを防止する構成にあっては、組立て行程が複雑化し、また、ビス締め追加は、部品点数の増加によるコスト的な課題があった。
【００１５】
本発明は、前記従来の課題を解決するもので、部品の追加なしに前部枠体と洗剤投ケースの位置ずれを解消して、組み立て作業性が優れ、洗剤ケースの操作性の優れた洗濯機を提供することを目的とする。
【課題を解決するための手段】
【００１６】
前記従来の課題を解決するために、本発明の洗濯機は、洗濯機本体の前面を形成する前部枠体と、前部枠体の上部に配置された洗剤ケースと、前記洗剤ケースを引き出し自在に収納する洗剤ケース収容容器とを備え、前記前部枠体の裏面に複数個のリブを形成し、前記リブを洗剤ケース収容容器に設けた複数個の嵌合穴に挿入して位置決めをしたものである。
【００１７】
これによって、前部枠体と洗剤ケースとの位置ずれが原因で起こる不具合をなくすことができ、さらには部品追加によるコストアップを回避できる。
【発明の効果】
【００１８】
本発明の洗濯機は、洗剤ケースの位置ずれによる不良をなくし、円滑な引き出し操作ができる。
【発明を実施するための最良の形態】
【００１９】
第１の発明は、衣類を収納する回転ドラムと、洗濯機本体の前面を形成すると共に前記回転ドラムへの衣類出し入れ用の開口扉を有する前部枠体と、前部枠体の上部に配置された洗剤ケースと、前記洗剤ケースを引き出し自在に収納する洗剤ケース収容容器とを備え、前記前部枠体は、裏面に複数個のリブを形成し、前記リブを洗剤ケース収容容器に設けた複数個の嵌合穴に挿入して位置決めをして、洗剤ケース収容容器を前部枠体の裏面に取り付けたことにより、前部枠体と洗剤ケースとの位置ずれが原因で起こる不良の恐れをなくすことができ、さらには部品追加によるコストアップを回避できる。
【００２０】
第２の発明は、特に、第１の発明の前部枠体の複数個のリブを、それぞれ高さが異なる形状とし、最も高いガイドリブの先端部は傾斜面を有して、洗剤ケース収容容器に設けた嵌合穴に摺動しやすい構成としたことにより、前部枠体に洗剤ケース収容容器の組み立て時、最も高いリブとその傾斜面が嵌合穴への挿入時の組み立てガイドとなり、生産性を高める事が出来る。
【００２１】
以下、本発明の実施の形態について、図面を参照しながら説明する。なお、この実施の形態によって本発明が限定されるものではない。
【００２２】
（実施の形態１）
図１は、本発明の実施の形態の洗濯機の外観図、図２は、同洗濯機の部分分解矢視図、図３（ａ）は、同洗濯機の洗剤ケース部の図２のＡ−Ａ部分断面図、図３（ｂ）はガイドリブ部分説明用外観図、図４は、同洗濯機の洗剤ケース部の図２のＢ−Ｂ部分断面図である。
【００２３】
図１の外観図において、洗濯機本体１の前部枠体２は、合成樹脂材等で構成し、前面中央部には開閉自在に開口扉３を配し、内部の回転ドラム４への衣類出入口とする。
【００２４】
前部枠体２上部には、洗剤ケース５が配置され、洗剤ケース５を引き出し自在に収容する洗剤ケース収容容器６は、前部枠体２の裏面内方に取り付けられている。
【００２５】
図２の部分分解矢視図において、前部枠体２への洗剤ケース収容容器６の取り付け構成を説明する。
【００２６】
前部枠体２に形成した開口扉７に、洗剤ケース収容容器６の洗剤ケース挿入開口８を対応させると共に、開口扉７下面に凸状に内方に向けて一体形成したガイドリブ９とリブ１０にそれぞれ嵌合挿入する嵌合穴Ａ１１と嵌合穴Ｂ１２とを洗剤ケース収容容器６に設ける。
【００２７】
洗剤ケース収容容器６を、前部枠体２の内部に取り付ける時は、洗剤ケース収容容器６の嵌合穴Ａ１１と嵌合穴Ｂ１２に、前部枠体２のガイドリブ９とリブ１０を挿入嵌合させ左右および上下へ位置ずれするのを防止しつつ、前部枠体２の前方よりネジ１３にて前部枠体２のビス挿入孔１４を介して洗剤ケース収容容器６のボス部１５に固着して前後に位置ずれの無い構成としている。
【００２８】
図３（ａ）の要部断面図は、図２のＡ−Ａ部分のガイドリブ９と嵌合穴Ａ１１の嵌合状態の断面を示し、洗剤ケース収容容器６は、前部枠体２に装着された状態で、かつ洗剤ケース５は、洗剤ケース収容容器６より若干引き出した状態を示している。
【００２９】
突出高さの大きいガイドリブ９は、嵌合穴Ａ１１に挿入した状態を示し、その先端部９ａは嵌合穴Ａ１１の裏面側に寸法Ｈ突出している。また、ガイドリブ９の先端部９ａの形状は、図３（ｂ）に示すように略角体の４面に傾斜面９ｂを設け、幅、高さ共に先端形状を細くなるように形成している。
【００３０】
図４は、図２のＢ−Ｂ部分におけるリブ１０と嵌合穴Ｂ１２の嵌合状態の断面を示し、図３のガイドリブ９にくらべて高さの低いリブ１０は、その先端部１０ａは嵌合穴Ｂ１２の裏面側に寸法ｈ突出しているが、その突出高さｈと図３（ａ）のガイドリブの突出寸法Ｈとは、ｈ＜＜Ｈの関係にある。
【００３１】
以上のように構成された洗濯機について以下その動作、作用を説明する。
【００３２】
洗剤ケース収容容器６を前部枠体２の取り付ける場合、まず、前部枠体２の裏面に形成された高さの高いガイドリブ９の細い先端形状９ａに、図２Ａ−Ａ仮想線に沿って洗剤ケース収容容器６に設けられた嵌合穴Ａ１１が導かれて挿入し、その後、リブ１０と嵌合穴Ｂ１２が嵌合する構成となっているので、複数のリブの嵌合を簡単に作業ができる。
【００３３】
複数のリブと嵌合穴による位置決めによるため、精度が高まり前部枠体２と洗剤ケース収容容器６の左右および上下へ位置ずれが解消される。
【００３４】
また、前部枠体２に設けられたビス挿入孔１４を介して、洗剤ケース収容容器６に設けられたボス部１５の一箇所でのビス１３の締めを行うことにより、前後の位置ずれも防止も可能となる。
【００３５】
以上のように、本実施の形態では、前部枠体２と洗剤ケース収容容器６の位置ずれ防止構成により、前部枠体２と洗剤ケース５との位置ずれを防止されるので、洗剤ケース５の引き出しや収納動作が円滑に作業でき、位置ずれが原因で起こる不良の恐れをなくすことができ、さらには部品追加によるコストアップを回避できる。
【図面の簡単な説明】
【００３６】
【図１】本発明の実施の形態１における洗濯機の外観図
【図２】同洗濯機の部分分解矢視図
【図３】（ａ）同洗濯機の洗剤ケース部の図２のＡ−Ａ部分断面図、（ｂ）ガイドリブ部分説明用外観図
【図４】同洗濯機の洗剤ケース部の図２のＢ−Ｂ部分断面図
【図５】従来の洗濯機の縦断面図
【図６】同洗濯機の洗剤ケース部分の部分断面図
【符号の説明】
【００３７】
１    洗濯機本体
２    前部枠体
３    開口扉
４    回転ドラム
５    洗剤ケース
６    洗剤ケース収容容器
９    ガイドリブ
１０  リブ
１１  嵌合穴Ａ
１２  嵌合穴Ｂ
【図１】
2010035747.tif 000003
【図２】
2010035747.tif 000004
【図３】
2010035747.tif 000005
【図４】
2010035747.tif 000006
【図５】
2010035747.tif 000007
【図６】
2010035747.tif 000008